(57)【特許請求の範囲】
【請求項１】
複数の鍵と、
前記複数の鍵のいずれかに対する押鍵操作に応答して楽音を生成する発音部と、
前記複数の鍵の少なくともひとつに対応して設けられ、芳香剤が収容可能な芳香剤収容凹部を有するとともに、前記鍵が非押鍵状態にあるときは前記芳香剤収容凹部が閉塞状態となり、前記鍵が押鍵状態にあるときは前記芳香剤収容凹部が開放状態となる芳香剤容器と、
を備えることを特徴とする鍵盤楽器。
【請求項２】
請求項１に記載の鍵盤楽器において、
前記鍵盤楽器はさらに、当該鍵盤楽器の底板上に設けられた鍵支持用突起と、当該鍵支持用突起に設けられた鍵支持軸とを有し、
前記鍵支持軸は前記複数の鍵夫々の中央部に取り付けられ、
前記鍵の後端部にて前記芳香剤収容凹部を閉塞させるとともに、前記鍵の前端部に対する押鍵操作に応答して前記鍵の後端部が前記鍵支持軸を中心として上方向に移動して前記芳香剤収容凹部を開放することを特徴とする鍵盤楽器。
【請求項３】
請求項２に記載の鍵盤楽器において、
前記鍵の後端部下面には、前記芳香剤収容凹部に対応する位置に芳香剤容器閉塞用凹部が設けられ、
前記鍵が非押鍵状態にあるとき、前記鍵の芳香剤容器閉塞用凹部の奥面が前記芳香剤容器の芳香剤収容凹部の周囲における上面に当接されることを特徴とする鍵盤楽器。
【請求項４】
請求項１〜３のいずれかに記載の鍵盤楽器において、
前記鍵盤楽器は、少なくとも前記複数の鍵の後端部および前記芳香剤容器を収容する楽器本体ケースを有し、
前記芳香剤容器は、前記楽器本体ケースの背面側から外部に取り出し可能に構成されていることを特徴とする鍵盤楽器。
【請求項５】
請求項４に記載の鍵盤楽器において、
前記鍵盤楽器はさらに、前記楽器本体ケース内でかつ、前記鍵の後端部上方に設けられたファンを有することを特徴とする鍵盤楽器。
【請求項６】
請求項１〜５のいずれかに記載の鍵盤楽器において、
前記芳香剤容器は、当該芳香剤容器に対応する鍵、および当該鍵に隣接する鍵に前記芳香剤収容凹部を有することを特徴とする鍵盤楽器。
【発明の詳細な説明】
【技術分野】
【０００１】
この発明は、電子ピアノなどの鍵盤楽器に関し、特に、鍵が押されたとき楽音が発せられると同時に香りを発生させることができる鍵盤楽器に関する。
【背景技術】
【０００２】
従来の電子ピアノなどの鍵盤楽器には、鍵が押されたとき楽音が発せられると同時に香りを発生させることができるようにしたものがある（例えば、特許文献１参照）。特許文献１に記載の鍵盤楽器では、円筒形状の芳香剤容器内に芳香剤が収容され、芳香剤容器の一端部に空気流入口が設けられ、芳香剤容器の他端部に空気流出口が設けられ、鍵が押されると空気流入口から空気が芳香剤容器内に流入され、この流入された空気と共に芳香剤容器内の芳香剤の香りが空気流出口から流出され、これにより鍵が押されたとき楽音が発せられると同時に香りを発生させることができるようになっている。
【先行技術文献】
【特許文献】
【０００３】
【特許文献１】特開２００３−２６０１２２号公報
【発明の概要】
【発明が解決しようとする課題】
【０００４】
しかしながら、上記従来の鍵盤楽器では、一端部に空気流入口を有し、他端部に空気流出口を有する芳香剤容器内に芳香剤をただ単に収容しているだけであるので、鍵が押されない状態でも、芳香剤容器内の芳香剤の香りが少なくとも空気流出口から外部に漏れ出てしまい、芳香剤容器内の芳香剤の寿命が短くなってしまうという問題がある。
【０００５】
そこで、この発明は、鍵が押されない状態では、芳香剤容器内の芳香剤の香りが外部に漏れ出ないようにすることができる鍵盤楽器を提供することを目的とする。
【課題を解決するための手段】
【０００６】
この発明は、複数の鍵と、前記複数の鍵のいずれかに対する押鍵操作に応答して楽音を生成する発音部と、前記複数の鍵の少なくともひとつに対応して設けられ、芳香剤が収容可能な芳香剤収容凹部を有するとともに、前記鍵が非押鍵状態にあるときは前記芳香剤収容凹部が閉塞状態となり、前記鍵が押鍵状態にあるときは前記芳香剤収容凹部が開放状態となる芳香剤容器と、を備えることを特徴とする鍵盤楽器である。
【発明の効果】
【０００７】
この発明によれば、鍵が押されない状態では、芳香剤容器の芳香剤収容凹部は閉塞されているので、鍵が押されない状態では、芳香剤容器の芳香剤収容凹部内の芳香剤の香りが外部に漏れ出ないようにすることができる。
【図面の簡単な説明】
【０００８】
【図１】この発明の一実施形態としての鍵盤楽器の要部の一部を切り欠いた横断面図。
【図２】図１のII−II線にほぼ沿う断面図。
【図３】図１および図２の右から見た背面図。
【図４】（Ａ）は芳香剤容器の一部の平面図、（Ｂ）は図（Ａ）の下から見た側面図、（Ｃ）は図（Ａ）の左から見た側面図。
【図５】図２のＶ−Ｖ線に沿う一部の断面図。
【図６】白鍵が押されたときの図２同様の断面図。
【図７】白鍵が押されたときの図５同様の断面図。
【発明を実施するための形態】
【０００９】
図１はこの発明の一実施形態としての鍵盤楽器の要部の一部を切り欠いた横断面図を示し、図２は図１のII−II線にほぼ沿う断面図を示し、図３は図１および図２の右から見た背面図を示す。ここで、図１は図２のＩ−Ｉ線にほぼ沿う横断面図である。この鍵盤楽器は楽器本体ケース１を備えている。
【００１０】
以下、図２を参照して説明する。楽器本体ケース１は、主前板２と、主前板２よりも背が高い後板３と、主前板２の下部と後板３の下部との間に設けられた底板４と、主前板２、後板３および底板４の左側（図２において奥側）に設けられ、前部（図２において左部）の上部が切り欠かれたほぼＬ字形状の左側板５と、主前板２、後板３および底板４の右側（図２において手前側）に設けられ、前部の上部が切り欠かれたほぼＬ字形状の右側板（図示せず）と、左側板５のほぼ上半分の前部と右側板のほぼ上半分の前部との間に設けられた副前板６と、副前板６、後板３、左側板５および右側板の上側に設けられた上板７とからなっている。この楽器本体ケース１では、左側板５のほぼ下半分の前部と右側板のほぼ下半分の前部との間の上側は開放され、開口部８となっている。
【００１１】
底板４の上面には鍵盤シャーシ１１が設けられている。鍵盤シャーシ１１の上面の前後方向（図２において左右方向）中央部には複数の鍵支持用突起１２が左右方向（図１において上下方向）に間隔をおいて設けられている。鍵支持用突起１２の中央部には円孔１３が設けられている。複数の鍵支持用突起１２の円孔１３には１本の鍵支持軸１４が挿通されている。鍵支持軸１４は複数の鍵夫々の中央部に取り付けられている。
【００１２】
鍵支持軸１４は複数の白鍵１５の中央部に、白鍵１５が上下方向に移動可能となるように取り付けられている。つまり、白鍵１５は押鍵操作に応じて、鍵支持用突起１２および鍵支持軸１４を支点に上下方向に移動可能となる。複数の白鍵１５および複数の黒鍵１６は左右方向（図１において上下方向）に所期の通り並列されている。白鍵１５の先端側および黒鍵１６の先端側は、楽器本体ケース１の外部に露呈されている。以下、白鍵１５について説明し、黒鍵１６についての説明は省略する。
【００１３】
白鍵１５の下面において鍵支持軸１４よりも前側（図２において左側）にはスイッチ押圧用突起１７が設けられている。スイッチ押圧用突起１７の下方には、白鍵１５が押されたことを検出するための押鍵検出スイッチとして、自己復帰型のゴムスイッチ１８が設けられている。ゴムスイッチ１８は、鍵盤シャーシ１１の上面に設けられた回路基板１９の上面に設けられている。回路基板１９上には楽音を生成する音源回路（発音部）２０が設けられている。白鍵１５の先端部下面と鍵盤シャーシ１１の上面との間にはコイルバネ２１が設けられている。白鍵１５の後端部下面には短冊形状の芳香剤容器閉塞用凹部２２が設けられている。
【００１４】
白鍵１５の芳香剤容器閉塞用凹部２２の下方における鍵盤シャーシ１１の上面には芳香剤容器収容用溝３１が鍵盤シャーシ１１の一端から他端まで設けられている。芳香剤容器収容用溝３１の後側（図２において右側）は開放されている。芳香剤容器収容用溝３１の後方における後板３には複数の短冊形状の開口部３２（図３参照）が間隔をおいて設けられている。鍵盤シャーシ１１の芳香剤容器収容用溝３１および後板３の開口部３２の部分には芳香剤容器３３が収容されている。換言すれば、芳香剤容器３３は、楽器本体ケース１の内部において白鍵１５の後端部下方に設けられている。
【００１５】
なお、鍵盤シャーシ１１の芳香剤容器収容用溝３１は、後板３の複数の開口部３２に対応して、間隔をおいて複数設けられたものであってもよい。また、後板３の開口部３２は、鍵盤シャーシ１１の１つの芳香剤容器収容用溝３１に対応して、１つの細長い開口部であってもよい。
【００１６】
ここで、図４（Ａ）は芳香剤容器３３の一部の平面図を示し、図４（Ｂ）は図４（Ａ）の下から見た側面図を示し、図４（Ｃ）は図４（Ａ）の左から見た側面図を示す。この芳香剤容器３３は平面長方形状の容器本体３４を備えている。容器本体３４の左側ほぼ半分の上面側には上側を解放された複数の短冊形状の芳香剤収容凹部３５が図４（Ａ）において上下方向に間隔をおいて設けられている。すなわち、芳香剤容器３３は、１つで複数の鍵に対応するものであり、鍵の並列方向に複数の鍵と同数の芳香剤収容凹部３５を有している。１つの芳香剤容器３３の芳香剤収容凹部３５の数は、特に限定はしないが、例えば、１つの芳香剤容器３３が１オクターブ分に相当するものである場合には、１オクターブ分の鍵と同数の８個である。
【００１７】
相隣接する芳香剤収容凹部３５間における容器本体３４の上面側にはガイド溝３６が設けられている。芳香剤収容凹部の右側における容器本体３４の上面側には、ガイド溝３６と同じ深さの鍵逃げ用溝３７が設けられている。容器本体３４の右側面の両端部には取手３８（図１および図３参照）が設けられている。容器本体３４の右端部上面には取付板３９が設けられている。取付板３９の両端部にはねじ挿通用円孔４０が設けられている。
【００１８】
図２に戻って説明を続ける。鍵盤シャーシ１１の芳香剤容器収容用溝３１および後板３の開口部３２の部分に収容された芳香剤容器３３は、取付板３９のねじ挿通用円孔４０（図４参照）に挿入されたねじ４１が後板３の背面側にねじ込まれていることにより、取り外し可能に取り付けられている。この状態では、芳香剤容器３３の少なくとも芳香剤収容凹部３５の部分は楽器本体ケース１の内部に設けられている。芳香剤容器３３の芳香剤収容凹部３５内には芳香剤４２が収容されている。芳香剤４２は、吸水性樹脂、ゲル状のもの、石鹸のような固形状のものなどからなっている。
【００１９】
ここで、図５は図２のＶ−Ｖ線に沿う一部の断面図を示す。白鍵１５の後端部下面には短冊形状の芳香剤容器閉塞用凹部２２が設けられていることにより、白鍵１５の後端部下面の左右両側および後側には平面ほぼコ字形状の突起２３（図２参照）が設けられている。このうち、左右両側の突起２３は芳香剤容器３３のガイド溝３６内に挿入され、後側の突起２３は芳香剤容器３３の鍵逃げ用溝３７（図２参照）内に挿入されている。
【００２０】
この場合、相隣接する２つの白鍵１５の相隣接する（左右両側の）突起２３は芳香剤容器３３の１つのガイド溝３６内に共に挿入されている。芳香剤容器３３の端部に対応する位置に配置された白鍵１５の左右両側の突起２３のうちの所定の一方は芳香剤容器３３の端面に沿わされている。
【００２１】
図２に戻って説明を続ける。白鍵１５の後端部上方における楽器本体ケース１の内部にはファン５１が設けられている。ファン５１は、図１にも示すように、平面正方形状であって上下に円孔５２を有するケース５３内に羽根車５４が設けられたものからなっている。ファン５１は、芳香剤容器３３の数と同じ数用いられ、各芳香剤容器３３の中央部上方に設けられている。ファン５１は、後板３の内面にねじ５５によって取り付けられたほぼＬ字形状の取付金具５６の上面にねじ５７によって取り付けられている。取付金具５６のファン５１が取り付けられた部分の中央部には円孔５８が設けられている。
【００２２】
ファン５１の上方における上板７には放音孔６１が設けられている。放音孔６１の外側における上板７にはネット６２が設けられている。副前板６の所定の箇所には放音孔６３が設けられている。放音孔６３の内側における副前板６の内面にはスピーカ６４が設けられている。スピーカ６４は音源回路２０と電気的に接続されており、音源回路２０で生成された楽音を発する。放音孔６３の外側における副前板６にはネット６５が設けられている。
【００２３】
この鍵盤楽器では、白鍵１５が押されない状態では、図２および図５に示すようになっている。図２を参照して説明すると、白鍵１５は、コイルバネ２１の力により時計方向に付勢されているが、白鍵１５の芳香剤容器閉塞用凹部２２の奥面が芳香剤容器３３の芳香剤収容凹部３５の周囲における上面に当接することにより、所定の初期位置に位置決めされている。この状態では、白鍵１５のスイッチ押圧突起１７はゴムスイッチ１８の上方に位置し、ゴムスイッチ１８はオフ状態となっている。
【００２４】
このように、この鍵盤楽器では、白鍵１５が押されない状態では、白鍵１５の芳香剤容器閉塞用凹部２２の奥面が芳香剤容器３３の芳香剤収容凹部３５の周囲における上面に当接されているので（図５参照）、芳香剤容器３３の芳香剤収容凹部３５は白鍵１５の芳香剤容器閉塞用凹部２２の奥面によって閉塞されている。この結果、白鍵１５が押されない状態では、芳香剤容器３３の芳香剤収容凹部３５内の芳香剤４２の香りが外部に漏れ出ないようにすることができ、ひいては芳香剤容器３３の芳香剤収容凹部３５内の芳香剤４２の寿命が短くならないようにすることができる。
【００２５】
また、白鍵１５の芳香剤容器閉塞用凹部２２の奥面を芳香剤容器３３の芳香剤収容凹部３５の周囲における上面に当接させているので、白鍵１５に芳香剤容器閉塞用凹部２２を設けずに、白鍵１５の後端部の平坦な下面を芳香剤容器３３の芳香剤収容凹部３５の周囲における上面にただ単に当接させる場合と比較して、芳香剤容器３３の芳香剤収容凹部３５内の芳香剤４２が白鍵１５の後端部周囲の空気に触れにくいようにすることができ、ひいては芳香剤４２の香りが外部に漏れ出にくいようにすることができる。
【００２６】
ここで、芳香剤容器３３の芳香剤収容凹部３５の周囲における上面の高さ位置にバラツキがある場合には、白鍵１５の芳香剤容器閉塞用凹部２２の平坦な奥面を芳香剤容器３３の芳香剤収容凹部３５の周囲におけるバラツキのある上面に当接させると、局所的に隙間が生じてしまう。しかし、上述のバラツキのある上面の周囲を白鍵１５の芳香剤容器閉塞用凹部２２の内周面で覆うことができるので（図５参照）、芳香剤容器３３の芳香剤収容凹部３５内の芳香剤４２が白鍵１５の後端部周囲の空気に触れにくいようにすることができ、ひいては芳香剤４２の香りが外部に漏れ出にくいようにすることができる。なお、白鍵１５において、左右両側の突起２３は省略してもよい。
【００２７】
また、この鍵盤楽器では、１つの芳香剤容器３３に複数の芳香剤収容凹部３５を設け、１つの芳香剤容器３３で複数の鍵に対応することができるようになっているので、１つの芳香剤容器で１つの鍵に対応する場合と比較して、部品点数を大幅に減少することができ、また後述する芳香剤容器３３の交換作業を簡単化することができる。
【００２８】
次に、白鍵１５が押された場合について説明する。白鍵１５が押されると、図２同様の断面図である図６および図５同様の断面図である図７に示すようになる。図６を参照して説明すると、白鍵１５はコイルバネ２１の力に抗して反時計方向に回動され、スイッチ押圧突起１７がゴムスイッチ１８を押圧する。すると、ゴムスイッチ１８はオン状態となり、音源回路２０に対して楽音の発音開始を指示するキーオンデータが得られる。これにより、押された白鍵１５に対応する楽音がスピーカ６４から発せられる。スピーカ６４から発せられた楽音は副前板６の放音孔６３およびネット６５を介して副前板６の前方に発せられると共に、上板７の放音孔６１およびネット６２を介して上板７の上方に発せられる。
【００２９】
また、白鍵１５が押されると、白鍵１５の芳香剤容器閉塞用凹部２２の奥面が芳香剤容器３３の芳香剤収容凹部３５の周囲における上面の上方に位置する状態となる（図７参照）。すると、白鍵１５の芳香剤容器閉塞用凹部２２の奥面による芳香剤容器３３の芳香剤収容凹部３５に対する閉塞が解除され、芳香剤容器３３の芳香剤収容凹部３５内の芳香剤４２の香りが押された白鍵１５の後端部の周囲に拡散される。
【００３０】
ここで、ファン５１は、この鍵盤楽器の電源スイッチ（図示せず）のオン、オフにより駆動、停止するようになっている。このとき、電源スイッチはオン状態となっているので、ファン５１は駆動している。したがって、押された白鍵１５の後端部の周囲に拡散された芳香剤４２の香りはファン５１によって上板７の放音孔６１の方に導かれ、放音孔６１およびネット６２を介して上板７の上方に拡散される。これにより、白鍵１５が押されたとき、楽音が発せられると同時に香りを発生させることができる。この場合、上板７の放音孔６１を放香孔として利用しているので、放香孔をそれ専用として設ける必要はない。
【００３１】
次に、白鍵１５に対する押鍵操作が解除された場合について説明する。白鍵１５に対する押鍵操作が解除されると、図２に示すように、白鍵１５はコイルバネ２１の力により時計方向に回動され、白鍵１５の芳香剤容器閉塞用凹部２２の奥面が芳香剤容器３３の芳香剤収容凹部３５の周囲における上面に当接することにより、所定の初期位置に戻される。この状態では、白鍵１５のスイッチ押圧突起１７はゴムスイッチ１８の上方に位置し、ゴムスイッチ１８は自己復帰してオフ状態となる。
【００３２】
次に、芳香剤容器３３内の芳香剤４２の寿命が尽き、芳香剤容器３３を交換する場合について、図２を参照して説明する。この場合には、まず、ねじ４１を取り外す。次に、交換しようとする芳香剤容器３３に対応する白鍵１５および黒鍵１６を押さえた状態において、芳香剤容器３３の取手３８を摘まんで引き出し、芳香剤容器３３を後板３の背面側の外部に取り出す。
【００３３】
次に、新品つまり未揮発の芳香剤４２を有する芳香剤容器３３を鍵盤シャーシ１１の芳香剤容器収容用溝３１および後板３の開口部３２の部分に収容する。次に、芳香剤容器３３の取付板３９のねじ挿通用円孔４０（図４参照）に挿入したねじ４１を後板３の背面側にねじ込む。次に、交換した芳香剤容器３３に対応する白鍵１５および黒鍵１６に対する押さえを解除する。これにより、芳香剤容器３３の交換作業は終了する。このように、この鍵盤楽器では、寿命の尽きた芳香剤４２を有する芳香剤容器３３を新品のつまり未揮発の芳香剤４２を有する芳香剤容器３３と交換することができるようになっている。
【００３４】
ここで、芳香剤容器３３の芳香剤収容凹部３５内に収容される芳香剤４２の香りは、１種類であってもよく、鍵ごとに異なる種類であってもよい。また、１つの芳香剤容器３３が１オクターブ分に相当するものである場合には、芳香剤４２の香りをオクターブごとに異なる種類とするようにすることもできる。
【００３５】
以上、この発明の一実施形態について説明したが、この発明は、これに限定されるものではなく、特許請求の範囲に記載された発明とその均等の範囲を含むものである。
【００３６】
以下に、この出願の当初の特許請求の範囲に記載された発明について付記する。
（付記）
請求項１に記載の発明は、複数の鍵と、前記複数の鍵のいずれかに対する押鍵操作に応答して楽音を生成する発音部と、前記複数の鍵の少なくともひとつに対応して設けられ、芳香剤が収容可能な芳香剤収容凹部を有するとともに、前記鍵が非押鍵状態にあるときは前記芳香剤収容凹部が閉塞状態となり、前記鍵が押鍵状態にあるときは前記芳香剤収容凹部が開放状態となる芳香容器と、を備えることを特徴とする鍵盤楽器である。
【００３７】
請求項２に記載の発明は、請求項１に記載の鍵盤楽器において、前記鍵盤楽器はさらに、当該鍵盤楽器の底板上に設けられた鍵支持用突起と、当該鍵支持用突起に設けられた鍵支持軸とを有し、前記鍵支持軸は前記複数の鍵夫々の中央部に取り付けられ、前記鍵の後端部にて前記芳香剤収容凹部を閉塞させるとともに、前記鍵の前端部に対する押鍵操作に応答して前記鍵の後端部が前記鍵支持軸を中心として上方向に移動して前記芳香剤収容凹部を開放することを特徴とする鍵盤楽器である。
【００３８】
請求項３に記載の発明は、請求項２に記載の鍵盤楽器において、前記鍵の後端部下面には、前記芳香剤収容凹部に対応する位置に芳香剤容器閉塞用凹部が設けられ、前記鍵が非押鍵状態にあるとき、前記鍵の芳香剤容器閉塞用凹部の奥面が前記芳香剤容器の芳香剤収容凹部の周囲における上面に当接されることを特徴とする鍵盤楽器である。
【００３９】
請求項４に記載の発明は、請求項１〜３のいずれかに記載の鍵盤楽器において、前記鍵盤楽器は、少なくとも前記複数の鍵の後端部および前記芳香剤容器を収容する楽器本体ケースを有し、前記芳香剤容器は、前記楽器本体ケースの背面側から外部に取り出し可能に構成されていることを特徴とする鍵盤楽器である。
【００４０】
請求項５に記載の発明は、請求項４に記載の鍵盤楽器において、前記鍵盤楽器はさらに、前記楽器本体ケース内でかつ、前記鍵の後端部上方に設けられたファンを有することを特徴とする鍵盤楽器である。
【００４１】
請求項６に記載の発明は、請求項１〜５のいずれかに記載の鍵盤楽器において、前記芳香剤容器は、当該芳香剤容器に対応する鍵、および当該鍵に隣接する鍵に前記芳香剤収容凹部を有することを特徴とする鍵盤楽器である。
【符号の説明】
【００４２】
１  楽器本体ケース
１５  白鍵
１６  黒鍵
２０  音源回路（発音部）
２２  芳香剤容器閉塞用凹部
３３  芳香剤容器
３５  芳香剤収容凹部
４２  芳香剤
５１  ファン
６１  放音孔
【図１】
0006478143.tif 000002
【図２】
0006478143.tif 000003
【図３】
0006478143.tif 000004
【図４】
0006478143.tif 000005
【図５】
0006478143.tif 000006
【図６】
0006478143.tif 000007
【図７】
0006478143.tif 000008